(57)【特許請求の範囲】
【請求項１】
袋状に形成された生地からなり、一部に開口部を有し、マスクを挿入及び挿出可能なマスク収納部を有する袋本体部と、
前記袋本体部に一体形成され、前記開口部を閉塞する閉じ位置と前記開口部を開放する開き位置とで相似形状に変形可能に折り返されるカバー部と、を備え、かつ
前記生地は、撥水性を有し、かつ
前記マスク収納部は、少なくとも１個の仕切部を有し、かつ
前記携帯型マスクポーチは、外面に模様を付した意匠部を有し、当該携帯型マスクポーチの生地は、前記携帯型マスクポーチの使用時にその収納部内を外部から視認できない材質でできており、かつ
前記生地は、単一枚であり、かつ
前記生地は傘に用いられる傘生地からなることを特徴とする携帯型マスクポーチ。
【発明の詳細な説明】
【技術分野】
【０００１】
本発明は、例えば人体の鼻や口部分を被うことにより口内の衛生を保ったり、風邪やインフルエンザの感染を防止したり、ハウスダスト、ＰＭ２．５（微小粒子状物質）等を極力吸い込まないようにするマスクを収納するのに適した携帯型マスクポーチに関する。
【背景技術】
【０００２】
例えば使い捨てタイプのマスクを収納するマスク携帯ケースとして、二つ折りにしてスライドファスナーをスライドさせることにより複数枚の未使用マスクを収納するマスク収納部を形成する未使用マスク収納ケース本体と、未使用マスク収納ケース本体の外側に接続されてマジックテープ（登録商標）を閉じることによりマスク保管部を形成するカバーと、を備えるものが知られている（例えば、特許文献１参照）。
【０００３】
特許文献１に記載の技術では、未使用マスク収納ケース本体を開いて複数の未使用マスクを束ねて収納した後、スライドファスナーを閉じ、カバーを閉じる。未使用マスクを取り出すには、カバーを開き、マスク収納部に有するスリットから未使用マスクを引き出す。ここで、飲食等する際には、カバーに有するスライドファスナーを開いてカバー内に使用途中のマスクを一時的に保管する。そして、使用途中のマスクを再使用する際には、カバーに有するスライドファスナーを開いて使用途中のマスクを引き出す。
【先行技術文献】
【特許文献】
【０００４】
【特許文献１】特開２０１１−４１７９０号公報
【発明の概要】
【発明が解決しようとする課題】
【０００５】
昨今、使い捨てタイプのマスクは、衛生面で身体の健康を保つために常に携帯し即座に使用できるようにすることが望まれる。それは、風邪やインフルエンザの感染を防止したり、ハウスダスト、ＰＭ２．５（微小粒子状物質）等を極力吸い込まないようにするためである。
【０００６】
しかしながら、薬品店やコンビニエンスストアーで販売されている使い捨てタイプのマスクは、複数枚をビニールでできた比較的大きなパッケージ袋に入れた形態であるために、例えばカバンの中に保管した場合やポケットに入れた場合の何れにおいてもかさばって不便である。また、使い捨てタイプのマスクの複数枚のうちの一枚を使用し、食事等で、その使用途中のマスクを保管する場合、保管場所がないために、使用途中のマスクを未使用のマスクと一緒にパッケージ袋に戻すことになる。使用途中のマスクと未使用のマスクとを一緒にしてしまうのは衛生面で好ましくないばかりか、使用途中のマスクをパッケージ袋に無理矢理押し込むことになり、収納するのに苦労する。一方、まだ十分に使える使用途中のマスクを捨ててしまうのは材料となる資源の無駄遣いになるばかりか好ましくない環境汚染につながる。
【０００７】
一方、上述の特許文献１に記載の技術では、未使用マスク収納ケース本体及びカバーにスライドファスナーを有する。そのため、スライドファスナーが金属製である場合、使用に際して金属粉が生じ、その金属粉がマスク収納部やマスク保管部に侵入してマスクに付着する虞がある。そのため、マスク装着時にこれらの金属片を吸い込んでしまうことが懸念され、衛生面で身体の健康を保つどころか呼吸器系に悪影響を与えてしまう問題を有する。また、上述の特許文献１に記載の技術では、スライドファスナー等の重量物を含むために気軽に携帯できないばかりか、スライドファスナーが付いているために折り畳み難く、無理矢理折り畳んだ場合、スライドファスナーが破損して使用が不可能になる。更に、上述の特許文献１に記載の技術では、スライドファスナーの開閉に手間取り、マスクを即座に使用し難い。
【０００８】
本発明は、以上のような実情に鑑みてなされたもので、使い捨てマスクを使用するに際して衛生面で身体の健康を保つのに好ましく、気軽に携帯でき、必要な時に必要な場所で即座に使用できる携帯型マスクポーチを提供することにある。
【課題を解決するための手段】
【０００９】
上述した課題を解決するために、本発明に係る携帯型マスクポーチは、
袋状に形成された生地からなり、一部に開口部を有し、マスクを挿入及び挿出可能なマスク収納部を有する袋本体部と、
前記袋本体部に一体形成され、前記開口部を閉塞する閉じ位置と前記開口部を開放する開き位置とで相似形状に変形可能に折り返されるカバー部と、を備え、かつ
前記生地は、撥水性を有し、かつ
前記マスク収納部は、少なくとも１個の仕切部を有し、かつ
前記携帯型マスクポーチは、外面に模様を付した意匠部を有し、当該携帯型マスクポーチの生地は、前記携帯型マスクポーチの使用時にその収納部内を外部から視認できない材質でできており、かつ
前記生地は、単一枚であり、かつ
前記生地は傘に用いられる傘生地からなることを特徴としている。
【００１０】
本発明に係る携帯型マスクポーチによると、カバー部を閉じ位置にすることにより、外部からゴミやホコリが侵入しない密閉状態にあるマスク収納部にマスクを保管することができるために、使い捨てマスクを使用するに際して衛生面で身体の健康を保つのに好ましい。また、カバー部を折り返すだけの単純な動作で、カバー部を閉じ位置にしたり開き位置にしたりできるので、スライドファスナー等を用いたものと比較してマスクを時間や場所の制約を受けずに即座に使用できる。また、片手で持てる大きさであるために、洋服のポケット等に入れて気軽に携帯することができる。
【００１２】
また、本発明に係る携帯型マスクポーチによると、生地が撥水性を有するために、収納されているマスクに水分を付着させないようにして水分と共に汚れが付着するのを防止すると共に、水分が付着したままマスクを使用した場合の使用者の不快感をなくすことができる。
【００１４】
また、本発明に係る携帯型マスクポーチによると、少なくとも１個の仕切部によって、各マスク収納部を独立して分離するために、使用途中のマスクを保管する際に、未使用のマスクと分けて収納することができるので、衛生面で身体の健康を保つのに好ましい。
【００１６】
また、本発明に係る携帯型マスクポーチによると、外面に意匠部を有するために、意匠部によって好みの模様とすることができる。これによって、お気に入りの携帯型マスクポーチとすることができ、長期間使用するのに好ましい。また、異なる模様や柄の意匠部を有する複数の携帯型マスクポーチを所持し、その日の気分によって使い分けることで気分転換になると共に、特に女性にとってはおしゃれな感覚を味わうことができる。また、携帯型マスクポーチの収納部内を外部から視認できないので、マスク以外にも衛生状態を保ちながら収納する必要がある生理用品等も入れておくことができ、特に女性にとって使い勝手が良い。
【００１８】
また、本発明に係る携帯型マスクポーチによると、単一枚の生地で形成されるために、作成過程で生地を無駄に捨てることなく、多数の携帯型マスクポーチをコスト面で安く作成することができる。
【発明の効果】
【００１９】
本発明によると、使い捨てマスクを携帯する際に衛生面で身体の健康を保つのに好ましく、気軽に携帯することができ、場所や時間の制約を受けずに即座に使用できる携帯型マスクポーチを提供することができる。
【図面の簡単な説明】
【００２０】
【図１】本発明の一実施形態に係る携帯型マスクポーチを、そのカバー部が閉じ位置にある状態で斜め上方から示す外観斜視図である。
【図２】図１に示した携帯型マスクポーチの縦断面図である。
【図３】図１に示した携帯型マスクポーチの正面図である。
【図４】図１に示した携帯型マスクポーチを、そのカバー部の開き位置にある状態で斜め上方から示す外観斜視図である。
【図５】図１に示した携帯型マスクポーチの縦断面図である。
【図６】図１に示した携帯型マスクポーチの使用方法を斜め上方から示す外観斜視図である。
【発明を実施するための形態】
【００２１】
以下、本発明の一実施形態に係る携帯型マスクポーチを図面に基づいて詳細に説明する。図１は、本発明の一実施形態に係る携帯型マスクポーチを、そのカバー部が閉じ位置にある状態で斜め上方から示す外観斜視図である。また、図２は、図１に示した携帯型マスクポーチの縦断面図である。なお、以下の各図においては、通常、カバー部を上側にして手で持つ方向を基準として上方及び下方とする。
【００２２】
本発明の一実施形態に係る携帯型マスクポーチ１０は、袋本体部１１と、カバー部１２と、を備える。携帯型マスクポーチ１０は、袋状に形成された生地１からなり、袋本体部１１及びカバー部１２のそれぞれの外面に様々な模様や柄を付した意匠部１３を有する。
【００２３】
生地１は、ポバールとも呼ばれる合成樹脂の一種である、ポリビニルアルコール（ｐｏｌｙｖｉｎｙｌ  ａｌｃｏｈｏｌ；ＰＶＡ）を素材としており、撥水性（親水性）が強く、比較的柔らかい特性を有する。生地１としては、傘に用いられる傘生地が好ましい。生地１は、合成樹脂であるために、布等と比べて耐久性に優れる。なお、この生地１の材質はあくまで一例を示したものに過ぎず、本発明の作用を発揮できれば、一般的な布生地や不織布など他の材質を使用可能である。
【００２４】
意匠部１３は、本実施形態では例えば星の模様からなる意匠を有する。なお、意匠部１３は、例示的に示した星に代えて、山、森、海、動物等の好ましい模様や柄を選ぶことができる。なお、意匠部１３に好ましい色調の無地を選んでも良い。更に、意匠部１３は、好ましい無地に様々な模様や柄を組み合わせるようにしても良い。また、意匠部１３を含めて、携帯型マスクポーチ１０は、その使用時に外部からマスクに代表される収納物を視認できないように色付けされている。
【００２５】
袋本体部１１は、マスク（図３参照）Ｍを出し入れ可能な２個の第１マスク収納部１４、第２マスク収納部１５を有し、各マスク収納部１４，１５の上端部に第１開口部１６、第２開口部１７をそれぞれ有する。袋本体部１１は、第１マスク収納部１４、第２マスク収納部１５内に収納されたマスクＭを外部から直視できないようになっており、プライバシーを確保できる。
【００２６】
カバー部１２は、袋本体部１１の前面のほぼ２／３を覆って、袋本体部１１の側部１８に接続されている。
【００２７】
携帯型マスクポーチ１０は、単一枚の生地１から形成されている。生地１は、例えば、一端部１９が第１マスク収納部１４の第１開口部１６を形成するために仕切部２０において折り曲げられた後に第１開口部１６の下方の一端側結束部２１において縫い合わされる。仕切部２０は、第１マスク収納部１４と第２マスク収納部１５とを独立して分離する。
【００２８】
そして、生地１は、第２開口部１７を介して第２マスク収納部１５を形成するために下方に向けて延在させ、折り曲げ部２２において反転された後に上端部の折り曲げ部２３において折り曲げ形成される。
【００２９】
続いて、生地１は、上端部の折り曲げ部２３において折り曲げられた後に下端部に向けて延在させ、下端部の折り曲げ部２４において折り曲げ部２２を覆って折り曲げ形成される。
【００３０】
そして、生地１は、折り曲げ部２４から上方に向けて延在させた後に、仕切部２０，折り曲げ部２３の外側に延在させてカバー部１２の一部を構成するヒンジ部２５を形成し、ヒンジ部２５から下方に向けて延在させ、カバー部１２の残りの一部を構成する下方の折り曲げ部２６において折り曲げ形成された後に上方へ向けて延在させる。
【００３１】
次に、生地１は、ヒンジ部２５を介して第１開口部１６及び第２開口部１７を被った後に下方に向けて延在させ、一端部１９に対峙する第１マスク収納部１４内において他端側結束部２７で縫い合わされる。生地１は、両側部分が側部１８において互いに縫い合わされて袋形状に形成され、表裏を裏返しにすることにより、携帯型マスクポーチ１０を形成する。
【００３２】
このとき、携帯型マスクポーチ１０は、カバー部１２が、第１開口部１６及び第２開口部１７を覆った閉じ位置Ａ１にある。そのため、カバー部１２によって、第１マスク収納部１４及び第２マスク収納部１５は閉じられる。これによって、携帯型マスクポーチ１０を衣服のポケットやカバンなど入れておいても、ポケットやカバン内のゴミやホコリが第１マスク収納部１４や第２マスク収納部１５に入り込むことはない。
【００３３】
次に、携帯型マスクポーチ１０の外形寸法について説明する。図３は、図１に示した携帯型マスクポーチの正面図である。なお、この寸法は本発明の作用を発揮するためのあくまで一例であり、本発明の範囲がこの寸法に限定されないことは言うまでもない。
【００３４】
携帯型マスクポーチ１０は、袋本体部１１が、例えば１６ｃｍである長さ寸法Ｌ１の横幅を有し、例えば１１ｃｍである長さ寸法Ｌ２の高さを有し、カバー部１２が、袋本体部１１と同一の横幅を有し、袋本体部１１に対して２／３の例えば４ｃｍの長さ寸法Ｌ３の高さを有する。袋本体部１１は、各マスク収納部１４，１５が、長さ寸法Ｌ４（Ｌ４＜Ｌ１）の横幅を有し、長さ寸法Ｌ５（Ｌ５＜Ｌ２）の高さを有する。そのため、携帯型マスクポーチ１０は、片手で持てる大きさであるために、容易に携帯できる。
【００３５】
ここで、マスクＭには、小児タイプ、小さめタイプ、レギュラータイプ、メディカルタイプ等がある。そして、携帯型マスクポーチ１０においては、最大の大きさを有するマスクＭを二つ折りにした状態で適用される。すなわち、二つ折りにされたマスクＭは、長さ寸法Ｌ６（Ｌ６＜Ｌ４）の最大の横幅を有し、長さ寸法Ｌ７（Ｌ７＜Ｌ５）の最大の高さを有する。そのため、各マスク収納部１４，１５に対して、マスクＭを容易に出し入れすることができる。
【００３６】
次に、携帯型マスクポーチ１０のカバー部１２が開いた状態について説明する。図４は、図１に示した携帯型マスクポーチを、そのカバー部の開き位置にある状態で斜め上方から示す外観斜視図である。また、図５は、図１に示した携帯型マスクポーチの縦断面図である。
【００３７】
携帯型マスクポーチ１０は、カバー部１２が、第１開口部１６及び第２開口部１７を開放した開き位置Ａ２にある。ここで、カバー部１２は、図２に示した閉じ位置Ａ１において、使用者によってヒンジ部２５を介して折り返されることにより、閉じ位置Ａ１と相似形状となったまま開き位置Ａ２に変形される。つまり、カバー部１２は、閉じ位置Ａ１と開き位置Ａ２とが同一の外観を有することになる。
【００３８】
次に、携帯型マスクポーチ１０の使用方法について説明する。図６は、図１に示した携帯型マスクポーチの使用方法を斜め上方から示す外観斜視図である。
【００３９】
携帯型マスクポーチ１０は、不使用時に、２つ折りや４つ折り等に全体を小さく折り畳んでポケット等に入れておく。携帯型マスクポーチ１０には、開閉用ファスナー等が備わっているので、小さく折り畳んでポケットやハンドバッグ、ビジネスバッグ等の片隅に入れておくことができる。
【００４０】
使用に際し、まず、マスクＭを２個用意し、カバー部１２を開き位置Ａ２にして、仕切部２０を介して各開口部１６，１７から各マスク収納部１４，１５に二つ折りのマスクＭをそれぞれ挿入する。このとき、各マスク収納部１４，１５は、二つ折りにされたマスクＭにおける、長さ寸法Ｌ６よりも十分に大きい長さ寸法Ｌ４の横幅を有し、且つ、長さ寸法Ｌ７よりも十分に大きい長さ寸法Ｌ５の高さを有するために、各マスクＭを独立した空間に挿入することができる。これにより、各マスクＭは、各マスク収納部１４，１５に収納される。
【００４１】
次に、使用者によって開き位置Ａ２にあるカバー部１２を、ヒンジ部２５を介して折り返す。このとき、カバー部１２は、両側部分が、各マスク収納部１４，１５のそれぞれの側部１８において縫い合わされているために、ヒンジ部２５を介して折り返された際に、各開口部１６，１７から離れずに、各開口部１６，１７を確実に閉じることができる。そのため、外部から遮断された密閉状態にある各マスク収納部１４，１５に衛生面で身体の健康を保つのに好ましい状態で各マスクＭを収納することができる。
【００４２】
そして、マスクＭを使用する必要が生じた際に、カバー部１２を開き位置Ａ２にして、各マスク収納部１４，１５の何れか一方からマスクＭを取り出して使用する。
【００４３】
次に、食事等でマスクＭを取り外す必要が生じた場合、カバー部１２を開き位置Ａ２にして、空いている各マスク収納部１４，１５の何れか一方に使用途中のマスクＭを二つ折りにして挿入し、カバー部１２を閉じ位置Ａ１に折り返す。
【００４４】
これにより、使用途中のマスクＭを、各マスク収納部１４，１５の何れか一方において衛生状態を保ちながら収納しておくことができる。
【００４５】
そして、食事等が終了したところで、マスクＭを使用する場合、カバー部１２を開き位置Ａ２にして、収納されている各マスク収納部１４，１５の何れか一方から使用途中のマスクＭを取り出して再使用する。なお、本実施形態に係る携帯型マスクポーチ１０を使用せずに、衣服のポケットやカバンにマスクＭを直接入れた後にこれを使おうとすると、ポケットやカバン内のゴミやホコリがマスクに付着してしまう。このようなマスクを再使用することで、これらのゴミやホコリを逆に吸い込んでしまい健康を害してしまう。しかしながら、本実施形態に係る携帯型マスクポーチ１０を上述のように使用することで、このような虞をなくすことができる。
【００４６】
次に、このような携帯型マスクポーチ１０の作用を説明する。本実施形態に係る携帯型マスクポーチ１０によると、カバー部１２を閉じ位置Ａ１にすることにより、各マスクＭを、外部からゴミやホコリが侵入しない密閉状態にある各マスク収納部１４，１５に保管することができるために、衛生面で身体の健康を維持するのに好ましい。
【００４７】
また、携帯型マスクポーチ１０は、カバー部１２を折り返すだけの単純な動作で、カバー部１２の状態を閉じ位置Ａ１か開き位置Ａ２の何れかにすることができるので、スライドファスナー等を用いたものと比較して簡単な指の動作でマスクＭを即座に使用できる。従って、指先を自由に動かしにくい使用者であってもスライドファスナー付きのマスクポーチに比べてはるかに使い勝手が良い。
【００４８】
また、スライドファスナーの使用に伴う金属片や樹脂片がマスク収納部に入り込むことがない。そのため、スライドファスナーを用いた携帯型マスクポーチを使用した結果このような金属片や樹脂片が付着したマスクＭを用いるようなことにならず、マスクＭに付着した金属片や樹脂片を吸い込んで逆に健康を害するような不都合が生じることはない。
【００４９】
また、携帯型マスクポーチ１０は、片手で持てる大きさであるために、洋服のポケット等に入れて気軽に携帯することができる。特に携帯型マスクポーチ１０にマスクを入れていない場合は、これを２つ折り、３つ折り、４つ折り等に小さく折り畳んでポケットやハンドバッグ、ビジネスバッグの片隅に入れておくことができるので、常に持ち歩くことができ、コンビニなどで使い捨てマスクを買った際にその場でポケットやバッグから折り畳んだ携帯型マスクポーチ１０を取り出して元の形に戻し、新しいマスクを入れることができるので、使い勝手が良い。
【００５０】
また、携帯型マスクポーチ１０は、生地１が、撥水性を有するために、収納されているマスクＭに水分を付着させないようにして水分の付着に伴うマスクＭへのゴミやホコリの付着を防止することができる。また、水分の付着したマスクを再使用しなくて済むので、使用者に不快感を与えずに済む。
【００５１】
また、携帯型マスクポーチ１０は、生地１として傘生地を利用しているために、傘生地に利用されている様々な模様を用いて一度に多数製造することができる。
【００５２】
また、携帯型マスクポーチ１０は、仕切部２０によって、第１マスク収納部１４と第２マスク収納部１５とを独立して分離するために、使用途中のマスクＭを保管する際に、未使用のマスクＭが入った収納部に収納しなくて済むので、衛生面で身体の健康を維持するのに好ましい。
【００５３】
また、携帯型マスクポーチ１０は、袋本体部１１及びカバー部１２のそれぞれの外面に意匠部１３を有するために、意匠部１３によって様々な模様や柄を有した多種類の携帯型マスクポーチ１０を作成して提供できる。その結果、携帯型マスクポーチ１０の購入時のみならず保管時においても、この中から自分の好みに合ったものを選択する楽しみを購入者や使用者に与えることができる。
【００５４】
また、携帯型マスクポーチ１０は、単一枚の生地１で形成されるために、作成過程で生地を無駄に捨てることなく、多数の携帯型マスクポーチ１０を一度に低コストで作成することができる。
【００５５】
なお、本実施形態では２個のマスクＭを収納する各マスク収納部１４，１５を備えるものを図示した。しかしながら、本発明においてマスクＭの数は限定されることはなく、１個であっても３個以上の複数個であっても良い。もちろん、このような場合は、マスクＭの数に応じた１個又は３個以上のマスク収納部を設けるようにするが、係る形態も本発明の範囲に含まれることは言うまでもない。
【００５６】
また、例えば、マスク収納部にマスクを入れる代わりに生理用品などを入れても良い。この場合であってもマスクの場合と同様に衛生面を確保できるとともに、携帯型マスクポーチの収納部内が外部から視認できない生地でできているので、特に女性にとってマスクの代わりにやはり衛生状態を保ちながら収納することが大切な生理用品などを入れてみるなど、おしゃれ気分を味わいながら気軽に様々な用途に用いることができ、使い勝手が良い。もちろん、マスク収納部にマスクを入れる代わりに、ティッシュなどを入れておいても良い。
【００５７】
また、本発明に係る携帯型マスクポーチに使用する生地は、必ずしも撥水性を有していなくても良く、通常の布生地や不織布など本発明の作用を発揮できるものであれば使用可能である。また、生地の代わりに撥水性を有するビニールや柔らかい樹脂など、本発明の作用を発揮する材質についても適用可能である。しかしながら、撥水性を有する生地を用いたほうが携帯型マスクポーチ自体に水が付着しなくなるので、水の付着によるゴミやホコリの付着も防止でき、衛生面で身体の健康を保つのにより好ましいと共に、マスクの再使用時に水の付着したマスクを使用することによる使用者への快感を与えることがない点で優れている。
【００５８】
また、本発明に係る携帯型マスクポーチに使用する生地として、特に撥水性を有する代表的な生地である傘生地を用いることで、様々な模様や柄を有した意匠性に優れる携帯型マスクポーチを一度に多数作ることができる。
【００５９】
また、本発明に係る携帯型マスクポーチを、薬品店やコンビニエンスストアー等においてマスクと一緒に販売する形態にしても良く、このようにすれば、マスクと携帯型マスクポーチとを別々に購入する必要がなくなる。
【符号の説明】
【００６０】
１    生地
１０    携帯型マスクポーチ
１１    袋本体部
１２    カバー部
１３    意匠部
１４    第１マスク収納部（マスク収納部）
１５    第２マスク収納部（マスク収納部）
１６    第１開口部（開口部）
１７    第２開口部（開口部）
１８    側部
１９    一端部
２０    仕切部
２１    一端側結束部
２２    折り曲げ部
２３    折り曲げ部
２４    折り曲げ部
２５    ヒンジ部
２６    折り曲げ部
２７    他端側結束部
Ａ１    閉じ位置
Ａ２    開き位置
Ｍ    マスク
【要約】
【課題】使い捨てマスクを携帯する際、衛生面で身体の健康を保つのに好ましく、気軽に携帯することができ、場所や時間の制約を受けずに即座に使用できる携帯型マスクポーチを提供する。
【解決手段】袋状に形成された生地１からなり、一部に開口部１６，１７を有し、マスクを挿入及び挿出可能なマスク収納部１４，１５を有する袋本体部１１と、袋本体部１１に一体形成され、開口部１６，１７を閉塞する閉じ位置Ａ１と開口部１６，１７を開放する開き位置とで相似形状に変形可能に折り返されるカバー部１２と、を備える。
【選択図】図６【図１】
0005897103.tif 000002
【図２】
0005897103.tif 000003
【図３】
0005897103.tif 000004
【図４】
0005897103.tif 000005
【図５】
0005897103.tif 000006
【図６】
0005897103.tif 000007